(57)【要約】      （修正有）【課題】  ホースを新品のホースに交換したいとき、あるいは異なるタイプのホースに交換したいとき、容易に対応でき、また、ホース端部の継ぎ手の分解が容易で、設備停止後の洗浄が極めて容易なホース継ぎ手を提供する。【解決手段】  複数本の円周凹状溝を有し、ホース挿入端位置に外に突き出た円盤状突起部、他端部に他の継ぎ手との連結部を有するニップル、螺旋状の凹凸形状部４を内周面に、フラット形状部５を外周面に有し、かつ断面が筒のタテ方向に割れた端部６を有するC字状の円筒状弾性パッキンＢ、２分割され、これらをボルト・ナットで円筒状に結合する穴を有するホルダー（Ｃ）。【選択図】      図２
2006038192.tif 000002
【特許請求の範囲】
【請求項１】
下記（Ｉ）、（II）および（III）部材からなる、ホース外周面が螺旋凹凸形状の樹脂製ホース（Ｈ）端部に簡単に装着できるホース継ぎ手。
（Ｉ）ホース端部内面に挿入する円筒状部分に複数本の円周凹状溝（１）を有し、ホース挿入端位置に外に突き出た円盤状突起部（２）、他端部に他の継ぎ手との連結部（３）を有するニップル（Ａ）、
（II）ホース外周面の形状にそって嵌合できる螺旋状の凹凸形状部（４）を内周面に、フラット形状部（５）を外周面に有し、かつ断面が筒のタテ方向に割れた端部（６）を有するC字状の円筒状弾性パッキン（Ｂ）、
（III）筒のタテ方向に２分割（Ｃ−１、Ｃ−２）され、これらをボルト・ナットで円筒状に結合する穴（７）を有するホルダーであり、かつその内周面の両端に各々２つの突起部（８、９）を有し、内周面中央部はフラット形状部（１０）であり、さらに、突起部（８）はニップルの円盤状突起部（２）の外側に設置されるホルダー（Ｃ）。
【請求項２】
下記（Ｉ）、（II’）および（III）部材からなる、ホース外周面がフラット形状の樹脂製ホース（Ｈ’）端部に簡単に装着できるホース継ぎ手。
（Ｉ）ホース端部内面に挿入する円筒状部分に複数本の円周凹状溝（１）を有し、ホース挿入端位置に外に突き出た円盤状突起部（２）、他端部に他の継ぎ手との連結部（３）を有するニップル（Ａ）、
（II’）ホース外周面の形状にそって嵌合できるフラット形状部（１１）を内周面に、フラット形状部（５’）を外周面に有し、断面が筒のタテ方向に割れた端部（６’）を有するC字状の円筒状弾性パッキン（Ｂ’）、
（III）筒のタテ方向に２分割（Ｃ−１、Ｃ−２）され、ボルト・ナットで円筒状に結合する穴（７）を有するホルダーであり、かつその内周面の両端に各々２つの突起部（８、９）を有し、内周面中央部はフラット形状部（１０）であり、さらに、突起部（８）はニップルの円盤状突起部（２）の外側に設置されるホルダー（Ｃ）。
【請求項３】
弾性パッキン（Ｂ）およびホルダー（Ｃ）が、透明又は半透明樹脂からなり、外部から継ぎ手内部の汚れ・異常を目視できる請求項１または２記載のクリーンホース継ぎ手。
【発明の詳細な説明】
【技術分野】
【０００１】
本発明は、ホース継ぎ手、とくに食品分野等に使用されている樹脂製ホースの端部に簡単に装着でき、かつ分解、洗浄、乾燥の容易なホース継ぎ手に関するものである。
【背景技術】
【０００２】
従来、ホースとホースを連結する場合、またはホースを各種設備に連結する場合、ニップルをホース端部に挿入し、ホース外周面から複数本のバンド、またはワイヤーで締め付けるか、あるいは金属製円筒をホースに被せて外部から押圧で加締して、ニップルとホース端部を連結するホース継ぎ手が、一般に良く使用されている。
【０００３】
また、ニップルをホース端部に挿入し、ホルダーとパッキングを使用して、ニップルとホース端部を連結するホース継ぎ手も知られている（特許文献１）。
【特許文献１】特許第３４８２５１５号公報（特許請求、［０００８］、図１〜６）。
【発明の開示】
【発明が解決しようとする課題】
【０００４】
しかしながら、特許文献１に記載されているような、ホース継ぎ手では、ホルダーの内周面が螺旋状の凹凸形状であるため、使用できるホースは外周面に螺旋状の凹凸を有する形状のものに限定される。さらにまた、このような構造のホルダーは、透明性が不十分なため、内部の汚れを外部から容易に目視することができず、衛生面を要求される食品分野等に使用されるクリーンホース継ぎ手としては、なお不充分であった。
【課題を解決するための手段】
【０００５】
上記課題は、下記（Ｉ）、（II）および（III）部材からなる、ホース外周面が螺旋凹凸形状の樹脂製ホース（Ｈ）端部に簡単に装着できるホース継ぎ手を提供することによって解決される。
（Ｉ）  ホース端部内面に挿入する円筒状部分に複数本の円周凹状溝（１）を有し、ホース挿入端位置に外に突き出た円盤状突起部（２）、他端部に他の継ぎ手との連結部（３）を有するニップル（Ａ）、
（II）  ホース外周面の形状にそって嵌合できる螺旋状の凹凸形状部（４）を内周面に、フラット形状部（５）を外周面に有し、かつ断面が筒のタテ方向に割れた端部（６）を有するC字状の円筒状弾性パッキン（Ｂ）、
（III）  筒のタテ方向に２分割（Ｃ−１、Ｃ−２）され、これらをボルト・ナットで円筒状に結合する穴（７）を有するホルダーであり、かつその内周面の両端に各々２つの突起部（８、９）を有し、内周面中央部はフラット形状部（１０）であり、さらに、突起部（８）はニップルの円盤状突起部（２）の外側に設置されるホルダー（Ｃ）。
【０００６】
さらに、外周面に螺旋状の凹凸を有するホースを、このホースとは異なる、外周面がフラットなホース（Ｈ’）に交換したい場合は、上記の（I）、（II）および（III）の３部材のうち、部材（II）を下記の部材（II’）に代えることにより可能となる。
（II’）  ホース外周面の形状にそって嵌合できるフラット形状部（１１）を内周面に、フラット形状部（５’）を外周面に有し、断面が筒のタテ方向に割れた端部（６’）を有するC字状の円筒状弾性パッキン（Ｂ’）。
【発明の効果】
【０００７】
本発明の継ぎ手ホースは、食品加工などの現場において、ホースを新品のホースに交換したいとき、あるいは異なるタイプのホースに交換したいとき、容易に対応できるし、また、ホース端部の継ぎ手の分解が容易であるために、設備停止後等における継ぎ手、ホースの洗浄が極めて容易である。さらにまた、継ぎ手とホースの結合力も優れているため、継ぎ手とホースが使用中にはずれることはないし、さらにシール性も優れている。さらにまた、弾性パッキン及びホルダーを、透明又は半透明樹脂により構成することによって、外部から継ぎ手内部の汚れ・異常を目視で早期に発見できるクリーンホース継ぎ手を得ることが出来る。
【発明を実施するための最良の形態】
【０００８】
次に、本発明を図面により説明する。
図１は、部材（I）のニップル（Ａ）の側面図（一部断面図を含む）である。
ホース内面に挿入するニップル（Ａ）の挿入部筒状端部分には複数本の円周凹状溝（１）を有している。これは、ホース内面とニップル外周面の接触面積を減らし、ニップルの挿入・引き抜きの抵抗を低減すると同時に、ホースを外圧で締めた時に僅かにホースが伸びるのを、この円周凹状溝が内に吸収し、さらに水漏れを防止している。また、このニップルにはホース挿入端位置に外に突き出た円盤状突起部（２）があり、この円盤状突起部は、図４〜図５示すホルダー内周面の端の突起部（８）とかみ合い、ホース加圧時のニップルとホースのズレを阻止する機能を有している。また、ニップルの他端部には突起状の連結部（３）を有している。
【０００９】
図２は、部材（II）の弾性パッキン（Ｂ）の側面図（一部断面図を含む）
（右図）および平面図（左図）である。
パッキン（Ｂ）は、全体が円筒状で、内面はホース外周面の形状に嵌合できる螺旋状の凹凸形状部（４）を有し、外周面がフラット形状部（５）を有し、１個所筒のタテ方向に割れた端部（６）を有している。また、パッキンは、断面がC字状の弾性パッキンで、ニップル挿入部のホース端部外周にはめ込みながら１周巻いて取付けられる。これにより、ホルダーの締め圧が均一にホースに伝わり、ホース端部が均一にニップル外面に押し付けられ、ニップルとホースの隙間を完全にシールすることができる。
【００１０】
図３は、交換用部材（II’）の弾性パッキン（Ｂ’）の側面図（一部断面図を含む）（右図）および平面図（左図）である。
パッキン（Ｂ’）は、全体が円筒状で、内面はホース外周面のフラット形状に嵌合できるフラット状形状部（１１）を有し、外周面がフラット形状部（５’）を有し、１個所筒のタテ方向に割れた端部（６’）を有している。また、パッキンは、断面がC字状の弾性パッキンで、ニップル挿入部のホース端部外周にはめ込みながら１周巻いて取付けられる。これにより、図２と同様に、ニップルとホースの隙間を完全にシールすることができる。
【００１１】
図４は、部材（III）のホルダー（C）（２個の分割部材C−１、C−２）の側面図（一部断面図を含む）（右図）および平面図（左図）である。また、図５は、ホルダー（C）の上面図である。
ホルダー（C）は、筒のタテ方向に２分割（C−１、C−２）され、ボルト・ナットで円筒状に結合する穴（７）を有するホルダーで、その内周面の両端に突起部（８、９）を有し、内周面中央部はフラット形状部（１０）となっている。一方の端の突起部（８）は、図１に示すニップルの円盤状突起部（２）の外側に位置し、ニップルとホルダーのズレ防止に有効であり、他方の突起部（９）は、パッキンの他方端の外側に位置し、ホースの凸部の一部ともかみ合い、ホース及びパッキンとホルダーのズレ防止に有効である。パッキンは突起部８と突起部９との間に収まり、ポルダーから外れることはない。突起部９の高さは、パッキンの厚さとほぼ同じかまたはそれ以下であるが、パッキンの厚さとほぼ同等であることが好適である。図中、１５はホルダー外面の中央円周部に設けられた突起部、１６、１７はホルダー外面の両端の円周部に設けられた突起部であり、これらの突起部１５〜１７によりホルダーの強度がより向上する。
【００１２】
内周面中央部は、フラット形状部（１０）となっていることにより、パッキンのフラットな外面を均一に締めるのに有効であり、また、ホルダーとパッキンとの装着・脱着が容易であり、そのために洗浄も容易である。また、ホルダーを透明樹脂で構成する場合、フラット形状であるために、内部の汚れなどを完全に監視することができる。
２分割したホルダーは、ホース端部の１周巻いたパッキンの上から各々反対側からはめ込み、ホルダーの横の穴（７）にボルト・ナットを通し、六角Ｌ型レンチで締め、ホルダーを円筒状に結合する。
【００１３】
図６は、ニップル（Ａ）、内周面が凹凸形状の弾性パッキン（Ｂ）およびホルダー（Ｃ）（Ｃ−１およびＣ−２）からなるホース継ぎ手を、外周面が螺旋状凹凸形状の樹脂ホース（Ｈ）端部に装着し、ボルト・ナット（１３）により締め付けた側面図（一部断面図を含む）であり、図７は、図６において、内周面が凹凸形状の弾性パッキン（Ｂ）を内周面がフラット形状の弾性パッキン（Ｂ’）に交換し、さらに外周面が螺旋状凹凸形状の樹脂ホース（Ｈ）を外周面がフラット形状部１２の樹脂ホース（Ｈ’）に交換し、ホース継ぎ手を樹脂ホース端部に装着し、ボツト・ナット（１８）により締め付けた側面図（一部断面図を含む）である。
【００１４】
本発明において、ニップル（Ａ）の材質としては、金属、硬質プラスチックスなどが挙げられるが、強度の面でステンレスなどの金属が好適である。
また、弾性パッキン（Ｂ）の材質としては、各種ゴム、熱可塑性エラストマーなどが挙げられるが、スチレン系エラストマーなどの透明な熱可塑性エラストマーが好適である。
また、ホルダー（Ｃ）の材質としては、金属、硬質プラスチックスなどが挙げられるが、強度及び透明性を兼ね持つポリカーボネート樹脂が好適である。
また、樹脂ホースの管肉部材質としては、各種ゴム、熱可塑性エラストマー、
硬質プラスチックスなどがあげられる。また、樹脂ホースの螺旋状補強体の材質としては、硬質プラスチックス、金属などが挙げられるが、硬質ポリプロピレン系樹脂が好適である。
【００１５】
本発明の前記構造からなるホース継ぎ手は、六角棒Ｌ型レンチでホルダーを固定しているボルト・ナット（１３）を緩めることにより、２分割に簡単に分解でき、さらに弾性パッキンは、ホース外周面の螺旋状凹凸にはめ込まれた状態になっているので、タテ割れ端部（６）をつかみ１周回すことにより簡単に分離できる。また、ニップルは、ホース挿入部に突起物が無く、複数本の円周凹状溝（１）の形状により、引き抜き抵抗が少ないために手で簡単に引き抜くことができる。
分解された部材、ホース端部は、その部材ごとに簡単に洗浄・乾燥ができ、異物による汚れ、雑菌の浸入などを阻止できる。また、洗浄後の組み立ては、前記の逆で、まずホース端部にニップルを円盤状突起部（２）まで挿入し、次に弾性パッキン端（６’）をホース端からホースタテ方向にはめ込み、ホース外周面の螺旋状凹凸形状にそってはめ込みながら１周巻き付け、最後に半割りのホルダー（C−２）の端の突起部（８）をニップルの円盤状突起部（２）の外に位置するようにパッキンの上からはめ込み、残りの半割りのホルダー（C−１）を前のホルダーに合わせて反対側からはめ込んで、ボルト・ナット（１８）を六角棒Ｌ型レンチで締めて固定する。  
このように、本発明の継ぎ手は、分解・洗浄・乾燥・装着が極めて簡単である。
【実施例】
【００１６】
次の（I）〜（III）の三部材および樹脂ホースを使用して、図１、図２、図４〜図５、図６に示す継ぎ手を得た。
（I）ニップル（Ａ）は、錆びなく、洗浄のし易いステンレス製ニップルとし、ホース挿入部には深さ１ｍｍの円周凹状溝（１）を４条入れ、挿入部の仕切板にステンレス製円盤状突起部（２）、継ぎ手の連結部（３）を有する構造とした。
（II）パッキン（Ｂ）は、その外周面はフラット形状部（５）、内周面はホース外面形状に嵌合できる螺旋状の凹凸形状部（４）にし、断面が１個所筒のタテ方向に割れた端部（６）を有するC字状の円筒状の構造とした。また、パッキン（Ｂ）の材質は、（株）クラレ社製のスチレン系弾性エラストマーをベースに軟質ポリオレフインを配合した、オイル無配合の食品衛生規格に問題の無い、透明な硬度８０（ＪＩＳ硬度）の熱可塑性エラストマーを選択した。
（III）  ホルダー（C）は、筒のタテ方向に２分割（Ｃ−１、Ｃ−２.）し、ボルト・ナット（１３）で円筒状に結合する穴（７）を有するホルダーで、その内周面の両端に突起部（８、９）を有し、内周面中央部がフラットな形状部（１０）を有する、断面がコの字条構造で、一方の端の突起部（８）はニップルの円盤状突起部（２）の外側に、他方の突起部（８）の高さよりやや小さい突起部（９）はパッキンの他方端の外側に位置し、ホース凸部の一部とかみ合う構造とした。また、ホルダー（Ｃ）の材質は、透明なポリカーボネート樹脂（重合度P＝２２００品）を選択した。また、ボルト・ナット（１３）はステンレス製とし、錆び・汚れ防止に有効な材質とした。
【００１７】
樹脂ホース
内部に補強糸を網目状に組み込んだ構造で、管肉部には透明な（株）クラレ社製のスチレン系弾性エラストマーをベースに軟質ポリオレフインを配合し、オイル無配合の食品衛生規格に問題の無い、透明な硬度８０（ＪＩＳ硬度）の熱可塑性エラストマーを選択した。
また、ホースの外周面にポリプロピロン製の螺旋状補強体１４を有する樹脂ホース（H）を選択した。
上記（A）、（B）および（C）からなるホース継ぎ手を、上記樹脂ホース（H）の端部に装着し、これを牛乳、酒などの輸送に使用したが、ホース端部の外れ、ズレは見られず、またシール性も優れており、ホルダーとパッキンの間、パッキンとホースの間、さらにはホース内部まで目視できた。
【図面の簡単な説明】
【００１８】
【図１】部材（I）のニップル側面図（一部断面図を含む）
【図２】部材（II）の弾性パッキン側面図（一部断面図を含む）（右図）および平面図（左図）
【図３】交換用部材（II’）の弾性パッキン側面図（一部断面図を含む）（右図）および平面図（左図）
【図４】部材（III）のホルダー（２個の分割部材）側面図（一部断面図を含む）および平面図
【図５】部材（III）のホルダーの上面図
【図６】ホース継ぎ手を外周面が螺旋凹凸形状の樹脂製ホース端部に装着した側面図（一部断面図を含む）
【図７】ホース継ぎ手を外周面がフラットな形状の樹脂製ホース端部に装着した側面図（一部断面図を含む）
【符号の説明】
【００１９】
Ａ      ニップル
Ｂ      弾性パッキン
Ｂ’    交換用弾性パッキン
Ｃ      ホルダー
Ｃ−１  ホルダー分割部材
Ｃ−２  他方のホルダー分割部材  
Ｈ      外周面が螺旋凹凸形状の樹脂製ホース
Ｈ’    外周面がフラットな形状の樹脂製ホース
１      円周凹状溝  
２      円盤状突起部
３      他の継ぎ手との連結部
４      弾性パッキン内周面の螺旋状凹凸形状部
５      弾性パッキン外周面のフラット形状部
５’    交換用弾性パッキン外周面のフラット形状部
６      弾性パッキンのタテ方向に割れた端部
６’    交換用弾性パッキンのタテ方向に割れた端部
７      ホルダーの結合用穴  
８      ホルダー内周面の一方端の突起部
９      ホルダー内周面の他方端の突起部
１０    ホルダー内面中央部のフラット形状部
１１    交換用弾性パッキン内周面のフラット形状部
１２    フラット形状部
１３    ボルト・ナット
１４    ホースの螺旋状補強体
１５    ホルダー外面の中央円周部の突起部
１６    ホルダー外面の端の円周部の突起部
１７    ホルダー外面の他方の端の円周部の突起部
１８    ボルト・ナット
【図１】
2006038192.tif 000003
【図２】
2006038192.tif 000004
【図３】
2006038192.tif 000005
【図４】
2006038192.tif 000006
【図５】
2006038192.tif 000007
【図６】
2006038192.tif 000008
【図７】
2006038192.tif 000009